(57)【特許請求の範囲】
【請求項１】
ガスバリア性シートにより形成されると共にガゼット形の底面を有する抽出原料封入袋と、
上記底面に形成された排液口と、
上記排液口を塞いだフィルターシートと、
上記フィルターシートで塞がれた排液口を外気に対して気密に封止する剥離可能な封止手段とを備え、
上記底面は、保存中は２つ折りされ折返し線の下に合わせ面が互いに重なって畳まれ、使用に際しては展開されるものであり、
上記封止手段は上記底面の展開と共に剥離するか、上記底面の展開後に剥離できるものである
ことを特徴とする抽出原料包装バッグ。
【請求項２】
請求項１に記載した抽出原料包装バッグにおいて、抽出原料封入袋はその側面の下端より高い位置で展開するガゼット形の底面を有すると共に、上記側面にはその下端縁に達した形の切欠を設けたことを特徴とする抽出原料包装バッグ。
【請求項３】
請求項１または２に記載した抽出原料包装バッグにおいて、抽出原料封入袋の底面の合わせ面の排液口を無端状に囲む領域を剥離可能に溶着することで上記排液口を外気に対して気密に封止したことを特徴とする抽出原料包装バッグ。
【請求項４】
請求項１から３のいずれかに記載した抽出原料包装バッグにおいて、抽出原料封入袋の側面のうち底面より上の位置にも排液口を設け、その排液口を外側から剥離紙によって気密に封止させたことを特徴とする抽出原料包装バッグ。
【請求項５】
請求項１から４のいずれかに記載した抽出原料包装バッグにおいて、底面の排液口は複数の孔で形成したことを特徴とする抽出原料包装バッグ。
【発明の詳細な説明】
【０００１】
【発明の属する技術分野】
本発明は、抽出原料包装バッグに関する。詳しくは、レギュラーコーヒーや紅茶その他の各種茶やダシなど、お湯などを注ぐことで成分を抽出する抽出原料を封入した抽出原料包装バッグに関するものである。
【０００２】
【従来の技術】
今日、レギュラーコーヒーや茶葉などが１回分の量だけバッグに封入されていて、そのバックのままカップに入れて湯を注げばコーヒーやお茶の抽出液を出すことができるようにした形態の抽出原料バッグが多用されている。
この種のバッグには、一般に、メッシュシートや不織布などのフィルター材が用いられ、通常、内容物の酸化や吸湿を防止するために外袋で個包装される。特に、コーヒー等には風味の保存が強く要求されることから、外袋にはガスバリア性の高いシート材料が用いられる。
【０００３】
また、コーヒーバッグにあっては、これをカップの開口縁に掛けて抽出を行うことができるようにするために、厚紙製の腕をバッグに取り付けた所謂ドリップオンタイプのものも多く出回っている。
このような抽出原料包装バッグが記載された文献としては、例えば、特開平７−２８７号公報等がある。
【０００４】
【発明が解決しようとする課題】
上記したように、従来の抽出原料包装バッグは、抽出原料を封入したバッグとこのバッグを個包装した外袋との二重包装構造になっていたために、包装資材と包装処理に大きなコストと手間が掛かっていた。
特に、ドリップオンタイプのものにあっては、バッグに腕が取り付けられているため、包装時は折り畳まれているとは言っても、包装ライン上で邪魔になることが多く、また、それ故に自動包装機にも特殊な構造が要求されることになる。
また、利用者側から見ると、バッグの他に外袋というゴミも出るため、ゴミの量が多いと感じてしまうこともある。
【０００５】
本発明は上記した従来の問題点に鑑みて為されたものであり、１つの袋で、保存中の抽出原料をガスバリアする機能と、袋内の抽出原料を使用して抽出液を採る抽出機能の両方を果たすことができて、二重包装をしなくて済み、また、その袋をカップに掛けるためのドリップオン機能も当該袋自体に持たせることができる画期的な抽出原料包装バッグを提供することを目的とする。
【０００６】
【課題を解決するための手段】
この目的を達成するために、請求項１に記載した抽出原料包装バックは、ガスバリア性シートにより形成されると共にガゼット形の底面を有する抽出原料封入袋と、上記底面に形成された排液口と、上記排液口を塞いだフィルターシートと、上記フィルターシートで塞がれた排液口を外気に対して気密に封止する剥離可能な封止手段とを備え、上記底面は、保存中は２つ折りされ折返し線の下に合わせ面が互いに重なって畳まれ、使用に際しては展開されるものであり、上記封止手段は上記底面の展開と共に剥離するか、上記底面の展開後に剥離できるものであることを特徴とするものである。
【０００７】
この抽出原料包装バッグにあっては、封止手段を剥離するまではガスバリヤ機能が保たれ、使用に際しては、封止手段を剥離して排液口を開放すると共に封入袋の上端部を切り裂くなどして注液口を作って封入袋に湯などを注げば、抽出原料から成分を抽出した抽出液がフィルターを通して排出される。
従って、本発明によれば、抽出原料封入袋１つで、保存中の抽出原料をガスバリアする機能と、封入袋内の抽出原料を使用して抽出液を採る抽出機能の両方を果たすことができるので、包装が１個で済む。
【０００８】
本発明における抽出原料封入袋は、ガゼット形の底面を持つ形態にして、その底面に排液口を設けており、保存中は扁平な形に保つことができて嵩張らないし、使用に際しては底面を展開することで抽出原料封入袋を立体的に広げることができて湯などを容易に注ぐことができ、しかも、排液口は確実に袋の底頂部に位置するので、抽出液がフィルターを通して残らず排液されるのをほぼ確実に保証できる。
【０００９】
また、本発明における封止手段としては、剥離紙で排液口を直接封止することでも良いし、抽出原料封入袋にガゼット底を持たせた場合は、底面が畳まれている状態で当該底面どうし、又は側面のうち底面より下の部分で重なり合う部分どうしを剥離可能に接着したり、或いはこの重なり面どうしを請求項３のように溶着することでも良い。
【００１０】
請求項２に記載した抽出原料包装バックは、抽出原料封入袋はその側面の下端より高い位置で展開するガゼット形の底面を有すると共に、上記側面にはその下端縁に達した形の切欠を設けたことを特徴とするものである。
【００１１】
このようにすると、切欠をカップの開口縁に係止することで、抽出原料封入袋をカップに安定して乗せることができるので、例えば抽出原料をレギュラーコーヒーにする場合は所謂ドリップオンタイプの形で使用することができる。
また、底面の位置をある程度高いところに設けて側面の下部内側を深くすれば、この下部がカップを包む形で抽出原料封入袋を当該カップに乗せることもできるので、拡げた袋の形をしっかり保持することができる。この場合、カップに取っ手があるときは、切欠が当該取っ手とのぶつかりを避けるのに機能する。
【００１２】
請求項３に記載した抽出原料包装バックは、請求項１または２に記載した抽出原料包装バッグにおいて、抽出原料封入袋の底面の合わせ面の排液口を無端状に囲む領域を剥離可能に溶着することで上記排液口を外気に対して気密に封止したことを特徴とするものとである。
【００１３】
この封止手段によれば、抽出原料封入袋自体を利用して排液口の気密封止を実現することができるので、剥離紙などの特別な部材が不要で済むし、排液口の気密封止をより確実に行うことができる。
この発明を実施するに当っては、抽出原料封入バッグの素材に所謂イージーピールフィルムを用いることになるが、底面の合わせ面どうしを溶着する場合は、排液口を無端状に囲う領域を折り畳み状態で溶着すれば良く、側面の合わせ面どうしを溶着する場合は、底面が側面に連続する線より下の領域全体を折り畳み状態で溶着すれば良いので、必ずしも抽出原料封入バッグの全体にイージーピールフィルムを用いる必要は無い。
【００１４】
請求項４に記載した抽出原料包装バックは、請求項１から３のいずれかに記載した抽出原料包装バッグにおいて、抽出原料封入袋の側面のうち底面より上の位置にも排液口を設け、その排液口を外側から剥離紙によって気密に封止させたことを特徴とするものである。この発明によれば、抽出液は、底面の排液口と側面の排液口の両方から排液されるので、抽出効率が向上する。
【００１５】
請求項５に記載した抽出原料包装バッグは、請求項１から４のいずれかに記載した抽出原料包装バッグにおいて、底面の排液口は複数の孔で形成したことを特徴とするものである。このようにすれば、底面にある程度の剛性を残しながら排液口を設けることができるので、底面をよりきれいな形で展開させることができて、排液口をしっかり開くことができる。
【００１６】
【発明の実施の形態】
以下に、本発明の実施の形態を図面に従って説明する。
図面に示した各実施の形態は、本発明抽出原料包装バッグをコーヒーのドリップバッグに適用したものである。
〔１．第一の実施の形態〕（図１〜図５）
図１から図５は、第一の実施の形態に係るドリップバッグ１を示すものである。
このドリップバッグ１は、レギュラーコーヒーを封入した封入袋３と、この封入袋３に設けられた排液口を塞いだフィルター１１とで構成されている。
【００１７】
〔Ａ．封入袋〕
封入袋３は、ガゼット形の底面４を有し、この底面４が折り畳まれたままの状態では図３に示すように概ね平袋様を為し、中にはレギュラーコーヒー１９（図２参照）が１回分の量充填され、必要に応じて窒素ガス等の不活性ガスも充填される。平袋様の状態における２つの側面５の左右両端部はサイドシール部６として処理され、また、この側面５の上端部はトップシール部７として処理されている。このトップシール部７の両端部には、引き裂き易くするためのＶノッチ７ａ（図３参照）が形成されている。底面４の周縁は、側面５の下端よりある程度高い位置に結合されている。従って、底面４は、側面５の下端より高い位置で上げ底様に展開する。この底面４に排液口８が形成されている。
【００１８】
このような封入袋３は、図５に示す底面部シート４′と２枚の側面部シート５′を重ねて所要の部分をシールすることで形成される。側面部シート５′には、ガスバリヤ性が高く且つ直線カット性のよいシート材、例えばポリエチレンテレフタレートフィルムの一方の面にアルミニウムフィルムをラミネートした積層シートが用いられ、アルニウム蒸着面が外面に出る向きで使用される。また、底面部シート４′にはガスバリヤ性が高く且つ自己どうしイージーピール性を有して溶着できる種類のシート材が使用される。
側面部シート５′は横長の長方形状にカットされている。底面部シート４′は側面部シート５′とほぼ同じ大きさの矩形シートを２つ折りした形（図５では、直角に折り曲げた形で示してある）にカットされていて、この底面部シート４′が、その両端と２枚の側面部シート５′の各一端とが揃う形で、該２枚の側面部シート５′の間に挟まれる。
【００１９】
２つ折りした底面部シート４′の各半部は、その一部の領域を非溶着領域４′ａ（図５において一点鎖線の斜線を付してない領域）として残して、２枚の側面部シート５′に各別に溶着される。この非溶着領域４′ａは、底面部シート４′の折返し線Ｌを直線部に持つやや細身の半円形にしてある。
そして、互いに重なった状態の側面部シート５′と底面部シート４′は、これらの下端部を除く３方、即ち、図５に二点鎖線で示す左右両側端部６′と上端部７′において互いに重なった層の全てが一体的に溶着され、この溶着によってサイドシール部６及びトップシール部７が形成される。この溶着は、ヒートシール法によって行う。上端部７′の溶着だけはレギュラーコーヒー１９等を充填した後に行われる。
【００２０】
これにより、２枚の側面部シート５′と底面部シート４′のうち側面部シート５′に溶着された部分を側面５とし、底面部シート４′の非溶着領域４′ａをガゼット形の底面４とする完全密閉形の封入袋３が形成される。
底面４は、両側面５の下端部を開くことで、図１に示すように、横長のほぼ楕円形を為し且つその長手方向における中間に底頂部がある弓形に反った形に展開される。すなわち、底面４は、左右両端部が側面５の高さ方向におけるほぼ中間部に連続し中間部が側面５の下端より多少高い位置に連続した形で展開する。
【００２１】
〔Ｂ．排液口とフィルター〕
底面４に形成された排液口８は、該底面４とほぼ相似形でそれより二回り程度小さい。
この排液口８はフィルター１１によって塞がれる。このフィルター１１は、不織布、又は、極細かい網目のナイロンやポリエステルなどのメッシュシートで形成され、その外周部が排液口８を囲む領域に内側から接着される。底面部シート４′はこのフィルター１１が設けられた状態で供給される。
【００２２】
〔Ｃ．排液口の封止、係止切欠〕
そして、フィルター１１で塞がれた排液口８は、底面４が展開されるまで封止手段によって気密に封止される。この実施の形態においては、封止手段として、２つ折りされた状態における底面４の合わせ面どうしを一定の封止領域９でイージーピールオープン可能に溶着する形態を採用しており、そのために底面部シート４′として前記した種類のシート材を用いている。この封止領域９は、図５に破線で示すように排液口８を無端状に囲む領域である。底面部シート４′は、この封止領域９が溶着された状態で供給される。
従って、排液口８は、底面４が２つ折りになった状態のままでは底面４自体が封止領域９で溶着されていることによって外気が入らないように気密に封止され、底面４が展開されるのに伴ってそれまで溶着されていた封止領域９が剥離されて封止が開放される。
【００２３】
側面部シート５′と底面部シート４′とが溶着された後、側面５に係止切欠１３が打抜き形成される。これが形成される位置は、側面５のうち左右のサイドシール部６にそれぞれ近接した位置の下部である。この係止切欠１３は上下方向に長く、その下端は側面５の下端縁に達し、その上端は底面４近くまで延びている。
ドリップバッグ１は以上のように構成されている。
【００２４】
〔Ｄ．使用方法〕
次に、ドリップバッグ１の使用方法を説明する（図１、図２参照）。
使用するカップ１５には、その口径がドリップバッグ１の２つの切欠１３間の間隔よりある程度小さいサイズ、例えば当該間隔の４分の１乃至半分程度の口径のものを選ぶ。
先ず、２つの側面５の下端部の中間辺りを摘んでめいっぱい開く。これにより、それまで溶着していた封止領域９が剥離して排液口８及びフィルター１１が外に向かって開放されると共に、底面４が展開する。
【００２５】
そして、封止袋３の左右のサイドシール部６を両手で各別に掴んで、その手を互いに近づく方向へ寄せることで底面４をしっかり展開させながら、２つの係止切欠１３にカップ１５の開口縁部１５ａを相対的に挿入させる。これにより、底面４がほぼ目一杯展開した状態のドリップバッグ１が、２つの切欠１３の間の部分がカップ１５の中にある程度収まった状態でカップ１５に乗せられ、この状態は、係止切欠１３がカップ１５に係止することで安定に保持される。
【００２６】
この状態で、前記Ｖノッチ７ａからトップシール部７を引き裂いて注液口１７を作り、この注液口１７から封入袋３内にお湯を注げばレギュラーコーヒー１９の抽出液がフィルター１１を通してカップ１５に排出する。
尚、使い勝手によっては、封入袋３に注液口１７を作ってからドリップバッグ１をカップ１５に乗せる、という手順で行っても良い。
【００２７】
〔Ｅ．係止切欠の変形例〕（図６）
切欠１３の変形例を図６に示す。同図（Ａ）に示す切欠１３Ａは、上拡がりの形をしたカップに適したもので、互いに逆さハ字形を為すように傾斜した形になっている。これとは反対に、同図（Ｂ）に示す切欠１３Ｂは、上窄まりの形をしたカップに適したもので、互いにハ字形を為すように傾斜した形になっている。同図（Ｃ）に示す切欠１３Ｃは、上に行くほど幅が広がった形にすることで、上拡がりと上窄まりのいずれの形のカップにも適応できるようにしてある。
同図（Ｄ）に示す切欠１３Ｄは、これが近接しているサイドシール部６の下端部を切除することで互いに反対側へ向かっても開口した形にしてあり、これにより、カップの開口縁への係止を容易に行うことができる。また、同図（Ｅ）に示す切欠１３Ｅは、外側の側縁だけが傾斜して上拡がりの形になっていて、ストレートな形と上拡がりの形のカップに適応し易くしてある。
【００２８】
〔Ｆ．排液口の変形例〕（図７）
排液口８の変形例を図７に示す。同図（Ａ）に示す排液口８Ａは、底面４の中央部に円形に形成したものである。従って、前記排液口８より開口面積は小さいが、レギュラーコーヒー１９の粒子が比較的粗い場合はフィルター１１が目詰まりし難いので、この排液口８Ａはそのような条件下において用いると良い。
同図（Ｂ）に示す排液口８Ｂは、前記排液口８を幅方向で２分することにより骨部２１を残してある。このようにすれば底面４の剛性がある程度保持されるため、その分、底面４の展開形状をしっかり保持することができる。
【００２９】
これと同様の目的で、同図（Ｃ）に示す排液口８Ｃは前記排液口８を長手方向で２分した形にしてあり、同図（Ｄ）に示す排液口８Ｄは前記排液口８を周方向で４分した形にしてある。また、同図（Ｅ）に示す排液口８Ｅは、小さな孔２３を多数パンチング形成して網様にしてある。
【００３０】
〔Ｇ．形態上の応用例〕（図８、図９）
図８は、ドリップバッグ１を連包形態にした応用例を示す。この形態は、隣接し合うドリップバッグ１がそのサイドシール部６どうし連続して横一列に連なったもので、サイドシール部６には、切り離しのためのミシン線２５が形成されると共に、このミシン線２５の上端部と交差する形の切り溝様のノッチ２７が設けられている。
図９は、ドリップバッグ１個につき砂糖包装体３１と粉ミルク包装体３２が各１個相互に連なった連包形態の一例を示すものである。
【００３１】
〔２．第二の実施の形態〕（図１０）
図１０は、第二の実施の形態に係るドリップバッグ１Ａを示すものである。このドリップバッグ１Ａが前記第一の実施の形態に示したドリップバッグ１と異なるところは、排液口を図７（Ａ）に示した排液口８Ａにしたことと、この排液口８Ａを封止するための封止手段として、剥離紙３５を用いたことだけである。従って、説明はこの相違点だけについて行い、その他の部分については、図面の各部に前記ドリップバッグ１における同様の部位に付した符号と同じ符号、又はそれにダッシュ記号を付けた符号を付することで重複説明を避ける。このような符号の使い方とその意味は、後述する第三から第五の実施の形態においても同様とする。
【００３２】
剥離紙３５は、排液口８Ａより一回り程度大きい円形のシート状を為し、排液口８Ａの全体が覆われるように、底面４の外面に貼り付けられている（図では一部剥離した形で示してある）。この貼り付けには、例えばホットメルトやシリコーン接着剤など、底面４に対して比較的容易な離型性を有する接着剤によって行われる。
この剥離紙３５は、底面４が２つ折りされている状態では該底面４に挟まって隠されるので、底面４を展開しない限り剥離することは事実上不可能になり、それによって、使用前における排液口８Ａの封止が確実に担保される。
【００３３】
〔３．第三の実施の形態〕（図１１）
図１１は、第三の実施の形態に係るドリップバッグ１Ｂを示すものである。このドリップバッグ１Ｂが前記ドリップバッグ１と異なる点は、カップ１５に係止させる係止切欠の数だけである。
このドリップバッグ１Ｂにおいては、前記した２つの係止切欠１３の他に、これら係止切欠１３どうしの各中間位置に別の係止切欠４１を設けてある。この係止切欠４１は、上記位置において互いに近接した２つずつ設けられ、その結果、近接し合う２つの切欠４１の間に舌片４２が残される。この係止切欠４１は、舌片４２をカップ１５の外に出すことで開口縁１５ａに係止される。左右両端の切欠１３の深さは、切欠４１の深さに揃えてある。
従って、このドリップバッグ１Ｂでは周方向における等間隔の概ね４つの位置でカップ１５に係止されるため、非常にバランスが良い姿勢でカップ１５に乗せることができる。
【００３４】
〔４．第四の実施の形態〕（図１２、図１３）
図１２及び図１３は、第四の実施の形態に係るドリップバッグ１Ｃを示すものである。このドリップバッグ１Ｃが前記ドリップバッグ１と異なるところは、封入袋３の丈と、側面５にも排液口５１を設けたこと等である。
この排液口５１は、側面５のうち底面４が連続している位置よりやや上の位置，即ち、展開した底面４に上から近接する位置に設けられており、内側からはフィルター１１′によって塞がれ、外側からは剥離紙３５（図１２に一部剥離した形で示してある）によって気密に封止されている。使用に際しては、剥離紙３５を剥離して側面５の排液口５１を開放する。
【００３５】
このドリップバッグ１Ｃにおいては、封入袋３の丈を前記ドリップバッグ１における封入袋３の丈よりある程度長くして、その分、係止切欠１３をより深くすると共に、底面４がその底頂部でより深くなる形で展開するようにしてある。
従って、図１３と図２を見比べて分かるように、このドリップバッグ１Ｃにあっては、底面４がカップ１５内に深く収まるので、側面５の排液口５１がカップ１５の周壁の内側に確実に位置する。
【００３６】
このドリップバッグ１Ｃによれば、レギュラーコーヒー１９の抽出液は、底面４の排液口８と側面５の排液口５１の両方から当該カップ１５内に排出されるので、抽出効率が非常に高まる。また、底面４がカップ１５内により深く収まるので、カップ１５の深さや注ぐ湯量によっては、カップ１５内に溜まった抽出液に封入袋３内のレギュラーコーヒー１９が浸漬された状態にすることもできるため、好みに応じて、浸漬法による抽出を行わせることも可能になる。
【００３７】
〔５．第五の実施の形態〕（図１４、図１５）
図１４及び図１５は、第五の実施の形態に係るドリップバッグ１Ｄを示すものである。このドリップバッグ１Ｄは、封入袋３′の下部をカップ１５に被せるようにしている。そのために、封入袋３′の丈はある程度長くしてあって、側面５のうち底面４の底頂部が連続している位置から下方の寸法を長く取ってある。
この封入袋３′においては、側面５に一箇所だけ切欠６１を設けてある。この切欠６１はカップ１５の取っ手１５ｂとのぶつかりを避けるためのものである。
【００３８】
使用方法は、側面５の下端を開いて底面４を展開させることや、トップシール部７を引き裂いて注液口１７を作ることまではドリップバッグ１と同じであるが、カップ１５への乗せ方は、図１５に示すように、側面５の下部を広げた状態でカップ１５に上から被せる形で行う。従って、封入袋３′はその側面５の下部がカップ１５を包むように被さることで円筒形に開いた形を確実に保持され、この状態で底面４の大部分が当該カップ１５内に収まる。
このドリップバッグ１Ｄによれば、封入袋３′の横幅を多少大きめにしておけば、口径サイズが異なる様々なカップにも使用できて汎用性が拡がる。
【００３９】
以上、本発明の実施の形態を説明したが、本発明の具体的構成がこの実施の形態に限定されるものでは無く、本発明の要旨から外れない範囲での設計変更等があっても本発明に含まれる。
特に、実施の形態においては、本発明をコーヒーのドリップバッグに適用したが、本発明はこのようなものに限らず、緑茶やウーロン茶、各種健康茶、ダシその他各種の抽出原料を包装するための抽出原料包装バッグとして、広く適用することができる。
【００４０】
【発明の効果】
以上のように、本発明によれば、抽出原料封入袋１つで、保存中の抽出原料をガスバリアする機能と、封入袋内の抽出原料を使用して抽出液を採る抽出機能の両方を果たすことができるので、包装が１個で済む。
【図面の簡単な説明】
【図１】本発明をコーヒーのドリップバッグに適用した第一の実施の形態を使用状態で示す斜視図である。
【図２】図１のＡ−Ａ線に沿って切断した要部の断面図である。
【図３】第一の実施の形態に係るドリップバッグを使用前の状態で示す斜視図である。
【図４】図３のＢ−Ｂ線に沿って切断した拡大断面図である。
【図５】第一の実施の形態に係るドリップバッグの封入袋の構造を示す分解斜視図である。
【図６】第一の実施の形態に係るドリップバッグにおける係止切欠の変形例を５つ示す要部平面図である。
【図７】第一の実施の形態に係るドリップバッグにおける排液口の変形例を５つ示す要部平面図である。
【図８】第一の実施の形態に係るドリップバッグを連包形態にした応用の一例を示す斜視図である。
【図９】第一の実施の形態に係るドリップバッグに砂糖包装体と粉ミルク包装体が連なった連包形態の一例を示す斜視図である。
【図１０】本発明をコーヒーのドリップバッグに適用した第二の実施の形態を示す斜視図である。
【図１１】本発明をコーヒーのドリップバッグに適用した第三の実施の形態を示す斜視図である。
【図１２】本発明をコーヒーのドリップバッグに適用した第四の実施の形態を、使用前の状態で示す斜視図である。
【図１３】図１２のドリップバッグを使用状態で示す垂直断面図である。
【図１４】本発明をコーヒーのドリップバッグに適用した第五の実施の形態を、使用前の状態で示す斜視図である。
【図１５】図１４に示すドリップバッグを使用状態で示す拡大斜視図である。
【符号の説明】
１…抽出原料包装バッグ    ３…抽出原料封入袋    ４…底面    ５…側面
８…排液口    ９…封止手段    １１…フィルター    １３…切欠
８Ａ…排液口    ８Ｂ…排液口    ８Ｃ…排液口    ８Ｄ…排液口
８Ｅ…排液口
１３Ａ…切欠    １３Ｂ…切欠    １３Ｃ…切欠    １３Ｄ…切欠
１３Ｅ…切欠
１Ａ…抽出原料包装バッグ    ３５…封止手段
１Ｂ…抽出原料包装バッグ    ４１切欠
１Ｃ…抽出原料包装バッグ    １１′…フィルター    ５１…（側面の）排液口
１Ｄ…抽出原料包装バッグ    ３′…抽出原料封入袋    ６１…切欠
【図１】
0003875892.tif 000002
【図２】
0003875892.tif 000003
【図３】
0003875892.tif 000004
【図４】
0003875892.tif 000005
【図５】
0003875892.tif 000006
【図６】
0003875892.tif 000007
【図７】
0003875892.tif 000008
【図８】
0003875892.tif 000009
【図９】
0003875892.tif 000010
【図１０】
0003875892.tif 000011
【図１１】
0003875892.tif 000012
【図１２】
0003875892.tif 000013
【図１３】
0003875892.tif 000014
【図１４】
0003875892.tif 000015
【図１５】
0003875892.tif 000016